(57)【要約】【課題】複写機等の画像読み取り装置で原稿台ガラスに付勢するタイプでサービス交換時においてガラスを取り外しても読み取り装置が飛び出ず、サービス性を向上させる。【解決手段】複写機等の画像読み取り装置で、原稿台ガラスを外した際、画像読み取り装置が、画像読み取り装置を収納しているケースの所定位置にわずかな移動量で当たり、急に飛び出ることがないようにしたことを特徴とした構成。【選択図】        図１
2004193710.tif 000002
【特許請求の範囲】
【請求項１】
プラテンガラス上に置かれた原稿を読み取る読取光学系で、原稿を照明するための光源と、原稿からの光を読み取る読み取り素子と、原稿からの光を読み取り素子に結像させるための結像レンズ又は結像レンズとミラーから構成されている読取光学系で、
前記光源、読み取り素子、結像レンズ又は結像レンズとミラーを収納するための枠体１があり、
前記枠体１が副走査方向に摺動する領域を収納する枠体２を持ち、
前記枠体１が、前記枠体２を構成しているプラテンガラスに圧接する方向へ付勢手段を持ち、
前記枠体１を前記枠体２から取り出す際、前記プラテンガラスを外しても、前記枠体１が前記枠体２から飛び出ないようにした画像読み取り装置。
【請求項２】
請求項１においてプラテンガラスを外した際、枠体１が、枠体２の所定領域に当接して前記枠体２からが飛び出ないようにした画像読み取り装置。
【請求項３】
請求項２において枠体２に当接する領域が枠体１が副走査方向に摺動する全領域可能としたことを特長とする画像読み取り装置。
【発明の詳細な説明】
【０００１】
【発明の属する技術分野】
本発明は原稿読取装置に関するものであり、詳しくは複写機、プリンタ、ファクシミリ装置、スキャナ等の画像読み取り装置で、その摺動する光学ユニットを収納する枠体構成に関するものである。
【０００２】
【従来の技術】
従来、この種の画像読取装置においては特開昭６１−１４９９２０号公報で示されているようにプラテンガラスをラインセンサに平行な２辺のみで保持し、保持部材を原稿台ガラスに対して位置決めするために、原稿台ガラスに当接し、摺動する少なくとも２個の摺動体と画像読取装置を上下移動可能状態で保持する保持機構と原稿台ガラスに圧接する付勢手段とで摺動するように構成されている。
【０００３】
【発明が解決しようとする課題】
ところが、従来の画像読み取り装置はＡ４サイズ程度の小型のタイプで読み取りユニットとしても安価なもので、トラブルが発生しても光源、読み取り素子、結像レンズ又は結像レンズとミラーを収納するための枠体ユニットごと交換を行っていた。
【０００４】
しかし近年画像読み取り装置はＡ３サイズ程度の大型のものになったり、高解像度の高価な読み取りユニットになり、サービス交換時に読み取りユニットの単部品での交換も余儀なくされた。このため従来では、
１、読み取りユニットの故障箇所以外を容易に取り出しが困難
２、交換後読み取りユニット飛び出しにより他部品がバラケテ精度がでる交換が困難
だった。
【０００５】
【課題を解決するための手段】
上記目的を達成するために、本発明では原稿台ガラス面上の原稿を読み取る読取光学系で、この読み取り光学系を摺動自在に保持するプラテンガラスがあり、プラテンガラスに圧接する方向へ付勢手段を持つ読取光学系枠体１で、プラテンガラスを外す最前記読み取り光学系は、前記枠体１が副走査方向に摺動する領域を収納する枠体２の所定箇所に突き当たることにより、サービスマンが読取光学系の中の一部故障箇所を取り除くために読取光学系ユニットを取り外す際、急に飛び出ることがなくなり、読取光学系ユニットを容易に取り外すことを可能とした。
【０００６】
【発明の実施の形態】
（実施例１）
以下、図１〜図３を用いて本発明の実施例を詳細に説明する。
【０００７】
図１は光学系ユニットと枠体２を搭載した本発明の実施系１に係る平面走査装置（以下、フラットベッド・スキャナと称す）の正面から見た断面図、図２はフラットベットスキャナーと枠体２との斜視図、図３はプラテンガラスを取り外した状態での正面から見た断面図である。
【０００８】
図１及び図２において、３は密着型イメージセンサであり、その内部には不図示の長焦点セルフォックレンズが設けられており、プラテンガラス１上に焦点が合うように設定されている。又、この密着型イメージセンサ３の内部には不図示のランプが設けられており、副走査高速スキャンが可能となっている。
【０００９】
９は密着型イメージセンサ３を保持する保持部材、９は保持部材を支点で上下方向に自在に支持するキャリッジである。支点は密着型イメージセンサ３の副走査方向のほぼ中央部に設けられて左右のバランスが取られている。尚、支点から読取ラインまでの距離は、寸法のばらつき等で密着型イメージセンサ１が主走査の方向に傾いて照明角度がずれたり焦点距離が変わったりすることを避けるために長い方が望ましい。
【００１０】
そして、キャリッジ４上にはインバータ回路１１も設置されており、キャリッジ４が密着型イメージセンサ３とインバータ回路１１をまとめて移動させるため、密着型イメージセンサ１からインバータ回路１１までのケーブル長を短くすることができ、高周波ノイズの発散を防止することができる。
【００１１】
６は密着型イメージセンサ３を弾性支持するための付勢バネである。高さ規制部材７の先端がプラテンガラス１の下面に接触して移動するときに接触部分が摩耗してプラテンガラス１の下面に接触跡が発生しても画像に影響を及ぼさないようにするためである。付勢バネ６はキャリッジ９上に配置され、支点で支持された密着型イメージセンサ１を弾性支持している。
【００１２】
枠体２、４は軸受１３を介してガイドシャフト８に対して摺動自在に支持されているが、軸受１３は、密着型イメージセンサ３、インバータ回路１１、保持部材３、枠体２、４、調整部５及び付勢バネ６で構成される光学ユニット１０の主走査方向の重心からずれた位置に設けられている。そして、軸受１３の位置をずらした方向とは反対方向のキャリッジ４の端部の下部には摺動部材１４が設けられている。即ち、重心は軸受１３と摺動部材１４との間に位置することになり、ガイドシャフト７に摺動自在に支持された光学ユニット１０は摺動部材１４の方向に傾くように構成されている。
【００１３】
ガイドシャフト８はその両端部が水平に固定支持されており、フレーム１５にはガイドシャフト８と平行に曲げ部９ａが設けられている。そして、摺動部材１４がこの曲げ部に接触することによって密着型イメージセンサ３の水平が保たれるようその高さが設定されており、キャリッジ４がガイドシャフト７に沿って副走査方向に移動する際、摺動部材は曲げ部上を接触して移動する。
【００１４】
イメージセンサが壊れて、イメージセンサを交換する際、
まず最初に、キャリッジをフレームふたの切り欠き部１２ａ，１２ｂの位置へ下フレームの穴から触ることが可能なプーリ１６を回すことによって移動させる。その後プラテンガラス１を外す。これにより図１で示す第２規制部材１１が上フレーム２にあたり隙間ａがなくなりそれ以上キャリッジ９は出てくることはない。
【００１５】
次にサービスマンは取り外したプラテンガラス上空からキャリッジ９を図１のａの距離内にて押す、さらに押した状態で図２で示すｂ方向へ回転させながら上空へと取り出す。これによりばね６やその他の交換不要の部品に不要な負荷を加えることなくラインセンサ３を取り外すことが可能となった。さらにはラインセンサの交換後に直角や平行性がずれることなく取り付けなおすことが可能となった。
【００１６】
（実施例２）
実施例２を図４を使って具体的に示していくことにする。
【００１７】
スキャナーへの内臓物は実施例１で示した通りでレール端部に高さ方向を規制する箇所に特定して説明する。
【００１８】
上フレーム２の下面に摩擦抵抗を低くするためのレール部材１５が設けられている。このレール部材１５はキャリッジ１０が副走査方向全域において、プラテンガラス１を外すとレール部材１５が第２ストッパー１１に当たるようになっている。
【００１９】
これにより、キャリッジがいかなる位置においてもキャリッジが飛び出すことがなくなり、キャリッジを所定位置に移動する必要なくなり、サービス性がさらに向上することになる。
【００２０】
【発明の効果】
本発明によってレール面からガラス面までの距離を精度よくだすことが可能となり、
・レールを一度解体するようなことが発生しても再現性も確保できるようになった、
・組立時に手順を規制する必要がなくなった、
・メンテナイスも容易になった、
等の効果が上がった。
【図面の簡単な説明】
【図１】光学系ユニットと枠体を搭載した本発明の実施系１に係る平面走査装置の正面から見た断面図
【図２】フラットベットスキャナーと枠体との斜視図
【図３】プラテンガラスを取り外した状態での正面から見た断面図
【図４】実施例２の説明図
【符号の説明】
１・・プラテンガラス、２・・枠体、３・・イメージセンサ、４・・キャリッジ
【図１】
2004193710.tif 000003
【図２】
2004193710.tif 000004
【図３】
2004193710.tif 000005
【図４】
2004193710.tif 000006